(57)【特許請求の範囲】
【請求項１】
けこみ部に物品の収納部を備えたキャビネットにおいて、前記けこみ部は収納部として前方に引き出すことのできる引き出しを備え、前記キャビネットの付近で使用する機器の足下スイッチ装置を、前記引き出しの下部前板の前面に設け、前記足下スイッチ装置には操作信号を電波として発信することができるリモコン発信器を付設し、前記リモコン発信器と無線信号を送受信する受信器を前記キャビネット内に設けたことを特徴とするキャビネット。
【請求項２】
操作信号を電波として発信することができるリモコン発信器を設けた手元スイッチ装置を水栓蛇口の頂部に付設し、前記手元スイッチ装置は、前記受信器を介して水栓蛇口に接続する配管に配設された水用電磁弁及び湯用電磁弁の開閉制御を行うことを特徴とする請求項１に記載のキャビネット。
【請求項３】
前記足下スイッチ装置は、複数の前記機器を操作する複数のスイッチを有することを特徴とする請求項１又は２に記載のキャビネット。
【請求項４】
前記機器は、照明、換気扇、給湯器、電気温水器、電磁調理器、食器洗浄機、食器乾燥機および足下温風器を含む群より選択される１または２以上の機器であることを特徴とする請求項１から３のいずれか１項に記載のキャビネット。
【請求項５】
前記機器は、足下温風器であり、前記足下温風器を前記収納部の前板裏側上部に設け、温風を下方向に吹き出すことを特徴とする請求項１から４のいずれか１項に記載のキャビネット。
【請求項６】
前記キャビネットは、キッチン、洗面室あるいは洗面化粧台で使用されるキャビネットであることを特徴とする請求項１から５のいずれか１項に記載のキャビネット。
【発明の詳細な説明】
【０００１】
【発明の属する技術分野】
この発明は、キャビネットに関する、特に、照明、換気扇、水栓、浄水用水栓、給湯器、電気温水器、電磁調理器、食器洗浄機、食器乾燥機、足下温風器等の機器を操作するスイッチ装置を有するキッチンや洗面用のキャビネットに関する。
【０００２】
【従来の技術】
従来、シンクキャビネットにおいて、湯配管及び浄水配管の夫々に電磁弁を設け、この電磁弁をシンクの下方から足下に電気配線で引き出し操作スイッチで操作できるようにした構成は知られている（実開平４−１１９８６３号公報参照。
）。
【０００３】
又、吐水管及び吐水口等を有する水栓本体に接続部を設け、この接続部に対して操作部を着脱自在に連結し、水栓の蛇口部に吐水／止水スイッチを設けた構成は知られている（特開平５−１５６６７４号公報参照。）。
【０００４】
又、厨房家具のキャビネットにおいて、前面最下段に複数の引き出しを設け、その前板は箱体の底板に近い箇所を凹ませて蹴込とした構成は知られている（特開２０００−２３６９６４号公報参照。）。
【０００５】
又、図７に示すように、従来のキャビネット４２において、最下段に設けた引き出し４３内に足下温風器４４を設けた構成は知られている。
【０００６】
【発明が解決しようとする課題】
上記シンクの下方から足下に電気配線で引き出した操作スイッチは、足で操作できるから便利であるが、足のそばに操作スイッチがあるために踏んでしまったり、電気配線があるために足の邪魔になったり、美観を損ない、あるいは電気配線自体の断線や漏電等の危険が生じる等の問題がある。本発明は、このような足下で操作可能な操作スイッチの従来生じていた問題を解決することを課題とする。
【０００７】
さらに、電気配線のための工事に手間がかかるようなことがなく、簡単な工事で取り付けることができ、断線や漏電の危険性のない、足で操作でき、その操作信号を無線で発信できる足下スイッチ装置を実現することを課題とする。
【０００８】
又、上記のように引き出し内に温風器等の機器を設けると、引き出しの収納スペースを減らしてしまい、しかも温風器上に収納物を載せると温風器のメンテナンスが面倒である等の問題がある。本発明は、足下温風器を、収納量を減らすことなく引き出しにコンパクトな状態で取り付けることを課題とする。
【０００９】
【課題を解決する手段】
本発明は上記課題を解決するために、けこみ部に物品の収納部を備えたキャビネットにおいて、前記けこみ部は収納部として前方に引き出すことのできる引き出しを備え、前記キャビネットの付近で使用する機器の足下スイッチ装置を、前記引き出しの下部前板の前面に設け、前記足下スイッチ装置には操作信号を電波として発信することができるリモコン発信器を付設し、前記リモコン発信器と無線信号を送受信する受信器を前記キャビネット内に設けたことを特徴とするキャビネットを提供する。
【００１０】
操作信号を電波として発信することができるリモコン発信器を設けた手元スイッチ装置を水栓蛇口の頂部に付設し、前記手元スイッチ装置は、前記受信器を介して水栓蛇口に接続する配管に配設された水用電磁弁及び湯用電磁弁の開閉制御を行う構成としてもよい。
【００１１】
前記スイッチ装置は、複数の前記機器を操作する複数のスイッチを有する構成としてもよい。
【００１４】
前記機器は、照明、換気扇、水栓、浄水用水栓、給湯器、電気温水器、電磁調理器、食器洗浄機、食器乾燥機および足下温風器を含む群より選択される１または２以上の機器である。
【００１５】
前記機器は、足下温風器であり、前記足下温風器を前記収納部の前板裏側上部に設け、温風を下方向に吹き出す構成としてもよい。
【００１６】
前記キャビネットは、キッチン、洗面室あるいは洗面化粧台で使用されるキャビネットである構成としてもよい。
【００１７】
【発明の実施の形態】
本発明に係るキャビネットの実施の形態を、実施例に基づいて図面を参照して以下説明する。本発明に係るキャビネットは、キッチンで使用されるキャビネット、あるいは洗面室用若しくは洗面化粧台用のキャビネット等のいろいろな用途に利用可能なキャビネットである。
【００１８】
本発明に係るキャビネットが前提とする構成は、キャビネットの最下部に、けこみ部（「蹴込み部」とも記載され、本明細書中では、使用者のつま先に対向して凹状に形成されたキャビネットの下方の部分を意味する。）を有し、このキャビネットのけこみ部に物品の収納部を備えている構成である。
【００１９】
そして、本発明に係るキャビネットはこのように、けこみ部に物品の収納部を備えたキャビネットにおいて、キャビネットのけこみ部にスイッチ装置を設けた構成を基本的な特徴とする。このスイッチ装置は、キャビネットの近辺で使用されるいろいろな機器、例えば、照明、換気扇、水栓、浄水用水栓、給湯器、電気温水器、電磁調理器、食器洗浄機、食器乾燥機、足下温風器電気等の１または２以上を操作する１または２以上のスイッチ装置である。
【００２０】
本発明に係るキャビネットの具体的な構成を、以下、実施例１〜３に説明する。この実施例１〜３は、図１（ａ）及びその引き出しの拡大図である図１（ｂ）に示すようなキッチンで使用されるキャビネットに係る実施例である。このキャビネット１は、本体に複数の引き出し等から成る本体収納部２を備え、天板部３にシンク４及び調理用加熱器５等を備えており、その全体的な構成は、通常のキャビネットと同じである。しかし、その特徴的な構成として、けこみ部６に、けこみ部に設けられた収納部として、前方に引き出すことのできる引き出し７を備えている。
【００２１】
引き出し７は、背板７’と、左右の側板８と、左右の側板８の前端に固定された下部前板９とを有し、下部前板９に水平な棚板１０を介して上部前板１１が取り付けられている。上部前板１１の下端１２が棚板１０より下方へ突出し、この下端１２が引き手として機能している。上部前板１１と背板７’の間には、引き出し７の左右上部に位置した落下防止杆８’（図２以降では落下防止杆８’はその図示は省略する。）が取り付けられている。この引き出し７がキャビネット１の下部に形成された収納空間１３に摺動可能に装入されている。以上の基本構成を前提として以下、実施例１〜３について夫々説明する。
【００２２】
（実施例１）
図２は、実施例１を説明する図である。この実施例１の特徴は、キャビネット１のけこみ部６に設けられた引き出し７の下部前板９の前面（特許請求の範囲中の「けこみ部の前面」に相当する。）に足下スイッチ装置１４を設けた構成である。この足下スイッチ装置１４は、つま先でスイッチパネル等押して操作するプッシュ式のパネルスイッチ、あるいはつま先が触れるとこれを検知し動作するタッチスイッチ等、すでに知られているいろいろなスイッチを利用することが可能である。
【００２３】
足下スイッチ装置１４では、キャビネット１の底板１５上に伸ばされた電気配線１６がキャビネット１の背板１７を通して伸ばされ、キャビネット１内に設けられた制御部１８に接続されている。この制御部１８は、水栓１９に接続する水供給管２０及び湯供給管２１の途中に配設された水用電磁弁２２及び湯用電磁弁２３に夫々配線１６’で接続されている。
【００２４】
このような構成による実施例１の作用は次のとおりである。使用者は、足下スイッチ装置１４をつま先で操作することにより、水用電磁弁２２や湯用電磁弁２３を操作可能である。その他、この足下スイッチ装置１４の操作により、キャビネット１近辺に設けられた各種の機器の操作を行うようにすることが可能である。もちろん、この足下スイッチ装置１４には、複数の機器に対応して複数のスイッチを設ける構成としてもよい。
【００２５】
（実施例２）
図３は、実施例２を説明する図である。この実施例２は、実施例１同様に、キャビネット１のけこみ部６に引き出し７が設けられており、プッシュパネルスイッチやタッチスイッチ等の足下スイッチ装置２４が、図３に示すように、引き出し７の下部前板９の前面（特許請求の範囲の記載中の「けこみ部の前面」に相当する。）に設けた構成である。
【００２６】
しかし、この実施例２の特徴は、この足下スイッチ装置２４にリモコン発信器２５を付設し、足下スイッチ装置２４を操作した操作信号を電波として発信することができるようにした点である。具体的には、足下スイッチ装置２４、リモコン発信器２５及び電池電源（図示せず）から成るスイッチユニットを、引き出し７の下部前板９に取り付けて成る構成とする。この実施例２でも足下スイッチ装置２４に、操作すべき機器の数に応じて複数のスイッチを設けることができる。
【００２７】
この発信器２５からの操作信号を受信する受信器２６がキャビネット１の背板１７に取り付けられている。受信器２６はキャビネット１内に設けられた制御部１８に電気配線２７で接続されている。そして、制御部１８は、実施例１同様に水用電磁弁２２及び湯用電磁弁２３に電気配線２７’で接続され、これら電磁弁の開閉制御を行う。
【００２８】
この実施例２では、さらに水栓蛇口２８の頂部に手元スイッチ装置２９を付設し、この手元スイッチ装置２９に発信器３０を設け、手元スイッチによる操作信号を発信可能としている。この発信器３０から発信された操作信号は受信器２６で受信し、制御部１８に電気配線２７を介して送信されて、手元スイッチ装置２９の操作で、やはり水用電磁弁２２及び湯用電磁弁２３の開閉制御を行うことができるような構成としている。
【００２９】
ところで、実施例１は、足下スイッチ装置２４が電気配線１６を介して制御部１８に接続されているから、発信器や受信器等の機器は不要であるが、引き出し７の出し入れの際に、電気配線１６が屈曲を繰り返すので断線による不作動等の可能性が皆無とは言えない。これに対して、実施例２は、足下スイッチ装置２４の操作信号を、無線で発信器２５受信器２６に送信し、さらに電気配線２７により制御部１８に送信できるから、実施例１のような断線の問題は生じない。
【００３０】
なお、実施例２は、足下スイッチ装置２４、発信器２５及び電池から成るスイッチユニットを引き出し７の下部前板７に取り付けたが、特にキャビネット１のけこみ部６に引き出しを設けない構成であっても、けこみ部におけるつま先と対向する例えばキャビネットの前面（特許請求の範囲の記載中の「けこみ部の前面」に相当する。）等にスイッチユニット設ける構成としてもよく、これにより、いろいろな機器をつま先でリモコン操作することが可能となる。
【００３１】
（実施例３）
図４〜６は、実施例３を説明する図である。この実施例３の特徴は、キャビネット１のけこみ部６に実施例１、２同様にスイッチ装置を設けるのであるが、このスイッチ装置は、引き出し７の出し入れに伴い開閉される分岐接点（挿脱により電気回路を閉又は開とする接点。）から成る構成としている。さらに、この実施例３の特徴は、足下温風器を、けこみ部６にコンパクトな状態で取り付けて成る構成である。
【００３２】
分岐接点３１は、図４（ｃ）に示すように、コンセント３２とプラグ３３とから成る。コンセント３２は、凹部３４を有するとともに、２本の導電杆３５が凹部３４内に突出するようにコンセント３２に設けられている。この２本の導電杆３５は、足下温風器３６に電気配線３７で接続されている。
【００３３】
足下温風器３６は、図４（ａ）、（ｂ）、図５（ａ）に示すように、引き出し７の棚板１０上のほぼ中央部に載置されている。そして、足下温風器３６の吹き出し口に対応する棚板１０の部分には、格子部、スリット部のような温風を通す構造となっている。足下温風器３６からの温風は、この棚板１０を通過して下方前方のつま先方向に向かって吹き出すように構成されている。
【００３４】
プラグ３３は、コンセント３２の凹部３４内に挿入可能な寸法に形成されており、コンセント３２の２本の導電杆３５が挿入される２つの挿入孔３８が形成されている。この挿入孔３８内には夫々導電部材３８’が取り付けられており、導電部材３８’は、導電杆３５が挿入されると導電杆３５に弾接して電気的に接触状態となる。コンセント３２とプラグ３３は、このような構成であるから、使用者が直に電気接点に触れることがなく安全性が確保される。導電部材３８’には、電源に接続する電気配線３９が取り付けられている。
【００３５】
このように分岐接点３２を構成するコンセント３２を、図４〜６に示すように、キャビネット１の引き出し７の上部前板１１の側端部の内側（内面）に取り付ける。一方、図５（ａ）、図６（ａ）、（ｃ）に示すように、プラグ３３をキャビネット１の側板４０（引き出し７を挿入する収納空間１３を形成する側板）に取り付け、その電気配線３９を側板４０に沿わしてキャビネット１の背板１７まで伸ばし、さらに電源に接続されるように取り付ける。
【００３６】
このような構成による実施例３のキャビネットの作用は次のとおりである。図４（ａ）、並びに図５（ａ）、（ｂ）及びその要部イ、ロの拡大図である図６（ａ）、（ｂ）に示すように、引き出し７がキャビネット１内に入っている状態（引き出し７が閉じている状態）では、プラグ３３はコンセント３２内に挿入され、導電杆３５と導電部材３８’は電気的に接触し、足下温風器３６が電気配線３９を介して通電されている。これにより、足下温風器３６は、動作状態とされ、その温風が足下に向けて吹き出される。
【００３７】
そして、図４（ｂ）、図６（ｃ）、（ｄ）に示すように、引き出し７をキャビネット１から引き出している状態（引き出し７を開いている状態）では、プラグ３３はコンセント３２からはずされて、足下温風器３６を電源へ接続する回路が開となり、足下温風器３６は動作していない状態となる。
【００３８】
このように、実施例３では、引き出し７の開閉により分岐接点３１を開閉し、足下温風器３６を操作することができる。そして、図７に示す従来の足下温風器４４に比べて、足下温風器３６を引き出し７内に設置しないから、引き出し７の収納スペースを十分活用できる。そして、電気配線３９が引き出し７の出し入れの際に屈曲することがないので、断線や漏電等が防止できる。又、足下温風器３６に物を置くようなことがなくなるので、そのメインテナンスが容易となる。
【００３９】
なお、この実施例３では、引き出し７の開閉により足下スイッチ装置の分岐接点３１を開閉し、それにより足下温風器３６の動作を直接操作する構成としたが、分岐接点３１を閉じて足下温風器等の機器を動作可能なスタンバイ状態とし、さらに別のスイッチや制御装置によりはじめて機器を電源に接続して動作可能とする構成としてもよい。
【００４０】
図４（ｄ）は、コンセント３２の変形例として示すコンセント３２’であり、これは、２本の導電杆３５を互いに導線４１で直接電気的に接続する構成としたものである。このようなコンセント３２’にプラグ３３を挿入すると、導電杆３５及び導線４１を介して電気配線３９を有する回路が閉じ、この回路に接続されたけこみ部６又はけこみ部６以外の場所に設けた機器を、引き出し７の開閉により遠隔操作することができる。
【００４１】
以上、本発明の実施の形態を実施例に基づいて説明したが、本発明は、以上の実施例に限定されることなく、特許請求の範囲記載の技術的事項の範囲内においていろいろな実施例があることは言うまでもない。
【００４２】
【発明の効果】
以上の構成から成る本発明によると、次のような効果を奏する。
（１）足下スイッチ装置をけこみ部に設けたので、美観を損ねることなく、しかも使用者は、足下スイッチ装置を踏んだり、その電気配線に足を引っかけたり、邪魔されたりすることなく、又両手が塞がっていても足でいろいろな機器の操作が可能である。
【００４３】
（２）本発明に係る足下スイッチ装置に発信器を設け無線式とした場合は、電気配線の必要がないから、引き出しの出し入れの際の電気配線の屈曲による断線や漏電の危険がないばかりでなく、キャビネットに孔をあけたりして電気配線の取付等しなくてもよいために、取付が簡単で施工工程を低減することができ、又既設のキャビネットにも適用可能となる。電気配線に接続するタイプとしても電気配線が引き出しの出し入れにより屈曲したりしないので、断線や漏電の危険がない。
【００４４】
（３）本発明に係る足下スイッチ装置を分岐接点で構成した場合は、電気配線が引き出しの出し入れの際に屈曲することがないので、断線や漏電等が防止できる。
【００４５】
（４）又、本発明では、けこみ部に引き出しを設け、この引き出しの上下前板の間の棚部に温風器を設けたので、引き出しの収納スペースを十分活用できるから収納量を減らすことなく、しかも収納物をどかすことなく温風器にアプローチでき、メインテナンスも簡単となる。
【図面の簡単な説明】
【図１】本発明が適用されるキャビネットの一例を示す図である。
【図２】本発明の実施例１を説明する図である。
【図３】本発明の実施例２を説明する図である。
【図４】（ａ）〜（ｃ）は本発明の実施例３を説明する図であり、（ｄ）はコンセントの変形例を示す図である。
【図５】実施例３を説明する図であり、（ａ）はキャビネットの一部水平断面図であり、（ｂ）は、（ａ）のＡ−Ａ断面図である。
【図６】（ａ）、（ｂ）は図５（ａ）、（ｂ）の要部イ、ロの拡大図であり、（ｃ）、（ｄ）は図５（ａ）、（ｂ）に示す引き出しを開いた状態の要部拡大図である。
【図７】従来例を示す図である。
【符号の説明】
１、４２    キャビネット
２    本体収納部
６    けこみ部
７、４３    引き出し
９    下部前板
１０    棚板
１１    上部前板
１４、２４    足下スイッチ装置
１８    制御部
１９    水栓
２２    水用電磁弁
２３    湯用電磁弁
２５、３０    発信器
２６    受信器
２９    手元スイッチ装置
３１    分岐接点
３２    コンセント
３３    プラグ
３４    凹部
３５    導電杆
３６、４４    足下温風器
【図１】
0004655380.tif 000002
【図２】
0004655380.tif 000003
【図３】
0004655380.tif 000004
【図４】
0004655380.tif 000005
【図５】
0004655380.tif 000006
【図６】
0004655380.tif 000007
【図７】
0004655380.tif 000008